(57)【要約】【課題】  自動撮影システムにおいて、被写体が複数（グループ）である場合にも、好適なタイミングで撮影を行うことを可能にする。【解決手段】  撮影ユニット１０を、デジタルカメラ１２と、被写体が所持する無線タグ２０を検出し、該無線タグ２０と交信するアンテナ１３と、スピーカー１４と、コンピューター１１とから構成する。コンピューター１１は、デジタルカメラ１２の撮影範囲内に侵入したユーザーが持つ無線タグ２０ａからユーザーＩＤ（識別情報）を受信し、これに基づき、同一グループの他のユーザーのユーザーＩＤをサーバー３０から取得し、他のユーザーが撮影範囲内にいるか確認し、いる場合には撮影を開始し、いない場合にはスピーカー１４から呼びかけのメッセージを報知して所定時間待機した後、撮影を開始する。【選択図】          図１
2005099165.tif 000002
【特許請求の範囲】
【請求項１】
複数のユーザーから構成される撮影対象グループを自動的に撮影する自動撮影システムにおいて、
所定の位置に設置されたカメラと、
前記ユーザー毎に配布され、該ユーザー毎に固有の識別情報を発信する第１の通信手段と、
前記第１の通信手段から前記識別情報を受信する既知の位置に設置された第２の通信手段と、
前記ユーザーの各々が所属するグループの情報を前記識別情報と関連づけて管理するグループ情報管理手段と、
前記第２の通信手段により受信した識別情報に基づいて、前記ユーザーの各々の位置を検出する位置検出手段と、
前記位置検出手段の出力およびグループ情報管理手段により管理している情報に基づいて、前記カメラによる前記撮影対象グループの撮影のタイミングを制御する撮影タイミング制御手段とを備えたことを特徴とする自動撮影システム。
【請求項２】
前記撮影タイミング制御手段が、前記撮影対象グループの人数と撮影領域内にいる前記撮影対象グループの人数とを比較し、両者が同じである場合には前記カメラに撮影を行わせ、撮影領域内にいる前記撮影対象グループの人数の方が少ない場合には前記カメラに撮影を待機させるものであることを特徴とする請求項１記載の自動撮影システム。
【請求項３】
前記撮影タイミング制御手段が、前記撮影対象グループの各人の位置の状態列監視に基づいて、前記カメラによる前記撮影対象グループの撮影のタイミングを制御するものであることを特徴とする請求項１記載の自動撮影システム。
【請求項４】
前記撮影タイミング制御手段の出力に基づいて、前記撮影対象グループおよび／または撮影非対象グループに撮影タイミングを報知する報知手段を備えたことを特徴とする請求項１から３のいずれか１項記載の自動撮影システム。
【請求項５】
前記第２の通信手段が、前記撮影タイミング制御手段の出力に基づいて、前記第１の通信手段へ撮影タイミングを通知するものであることを特徴とする請求項１から４のいずれか１項記載の自動撮影システム。
【発明の詳細な説明】
【技術分野】
【０００１】
本発明は、自動撮影システムに関し、より詳細には、テーマパークや遊園地等の娯楽施設において来場者の記念写真やスナップ写真を自動撮影するシステムに関するものである。
【背景技術】
【０００２】
従来から、遊園地やテーマパーク等の観光スポットでは、アトラクション内でお客を撮影して、アトラクション終了後等に、撮影した画像のプリントを販売するサービスが行われていた。
【０００３】
また、本願出願人は、上記のようなサービスを効率よく行うためのものとして、特許文献１に記載されているような自動撮影システムを提案している。
【０００４】
この自動撮影システムの一例としては、以下のような形態のものが考えられている。最初にサービスの利用者に利用者のＩＤ情報（識別情報）を記憶させた通信デバイスを配布する。その後、通信デバイスを持つ利用者が、観光スポット内の各アトラクションや所定の撮影スポットに立ち寄る毎に、各アトラクションや所定の撮影スポット毎に設置されたカメラにより利用者を自動的に撮影するとともに、撮影した利用者の持つ通信デバイスからＩＤ情報を取得し、撮影により得られた画像データと利用者のＩＤ情報とを関連付けてサーバーに送信し、サーバーにおいてこれらの画像データおよびＩＤ情報を保管する。観光スポット内に設置された注文端末から注文を受けた際は、サーバーはＩＤ情報に基づいて利用者を撮影した画像データを検索し、この画像データを印刷して利用者に提供する、もしくは記録媒体等に画像データを記録して提供する。
【０００５】
これにより、利用者は好きなときに、観光スポット内に設置された注文端末を利用して、観光スポット内で撮影された複数の画像の中から、任意の画像をまとめて注文することができるため、より利便性の高いサービスを提供することが可能となる。
【特許文献１】特開２００１−１７７７５０号公報
【発明の開示】
【発明が解決しようとする課題】
【０００６】
ところで、遊園地やテーマパーク等の観光スポットでは、大抵の利用者が複数の人数（グループ）で来場し、観光スポット内で画像を撮影する際でもグループ全員で写った画像を所望することがほとんどであるが、上記のような従来の自動撮影システムにおいては、被写体に配布した通信デバイスを個別に認識して撮影を行うため、被写体が複数（グループ）である場合には、必ずしも好適なタイミングで撮影を行うことができるとは限らず、撮影された画像にグループ全員が写っていないということがあった。
【０００７】
本発明は上記問題に鑑みてなされたものであり、被写体が複数（グループ）である場合にも、好適なタイミングで撮影を行うことが可能な自動撮影システムを提供することを目的とするものである。
【課題を解決するための手段】
【０００８】
本発明による自動撮影システムは、複数のユーザーから構成される撮影対象グループを自動的に撮影する自動撮影システムにおいて、所定の位置に設置されたカメラと、ユーザー毎に配布され、ユーザー毎に固有の識別情報を発信する第１の通信手段と、第１の通信手段から識別情報を受信する既知の位置に設置された第２の通信手段と、ユーザーの各々が所属するグループの情報を識別情報と関連づけて管理するグループ情報管理手段と、第２の通信手段により受信した識別情報に基づいて、ユーザーの各々の位置を検出する位置検出手段と、位置検出手段の出力およびグループ情報管理手段により管理している情報に基づいて、カメラによる撮影対象グループの撮影のタイミングを制御する撮影タイミング制御手段とを備えたことを特徴とするものである。
【０００９】
上記の第１の通信手段および第２の通信手段の具体例としては、長距離型（交信範囲数メートル程度）の無線タグ（RFID : Radio Frequency IDentification）と、その受信アンテナを利用することが考えられる。
【００１０】
本発明による自動撮影システムにおいて、撮影タイミング制御手段は、撮影対象グループの人数と撮影領域内にいる撮影対象グループの人数とを比較し、両者が同じである場合にはカメラに撮影を行わせ、撮影領域内にいる撮影対象グループの人数の方が少ない場合にはカメラに撮影を待機させるものとしてもよいし、撮影対象グループの各人の位置の状態列監視に基づいて、カメラによる撮影対象グループの撮影のタイミングを制御するものとしてもよい。
【００１１】
ここで「状態列監視」とは、ユーザーの一つ一つの動作を「状態」として定義し、ユーザーの所定時間内の動作の流れを「状態列」としてとらえ、この状態列を規定のパターンと比較することでユーザーの挙動の解析を行う手法を意味する。
【００１２】
具体例としては、撮影領域内に撮影対象グループの全員が揃っていない場合に上記状態列監視を行い、撮影領域外にいるユーザーが撮影領域内へ移動している場合には撮影される意思が有るものと判定し、このユーザーが撮影領域内へ到達するまでカメラによる撮影を待機させる等の処理を行うことが可能である。
【００１３】
また、撮影タイミング制御手段の出力に基づいて、撮影対象グループおよび／または撮影非対象グループに撮影タイミングを報知する報知手段を備えたものとすることが好ましい。
【００１４】
さらに、第２の通信手段は、撮影タイミング制御手段の出力に基づいて、第１の通信手段へ撮影タイミングを通知するものであることが好ましい。
【発明の効果】
【００１５】
本発明による自動撮影システムは、複数のユーザーから構成される撮影対象グループを撮影する際に、撮影タイミング制御手段により、撮影対象グループを構成する全てのユーザーの位置に基づいて撮影タイミングを制御することによって、撮影対象グループを構成する全てのユーザーが、可能な限り撮影された画像に収まるように、好適なタイミングで撮影を行うことが可能となる。
【００１６】
上記自動撮影システムにおいて、撮影タイミング制御手段を、撮影対象グループの人数と撮影領域内にいる撮影対象グループの人数とを比較し、両者が同じである場合にはカメラに撮影を行わせ、撮影領域内にいる撮影対象グループの人数の方が少ない場合にはカメラに撮影を待機させるものとした場合、撮影範囲内に撮影対象グループを構成する全てのユーザーが揃っている場合には全員が収められた画像を撮影することができ、また、揃っていない場合でも、所定時間待機することにより、その間に揃っていないユーザーを集めることができる。
【００１７】
また、撮影タイミング制御手段を、撮影対象グループの各人の位置の状態列監視に基づいて、カメラによる撮影対象グループの撮影のタイミングを制御するものとすることにより、撮影対象者が撮影範囲外にいる場合でも、カメラに向かって移動しているか等、撮影範囲外にいる撮影対象者に撮影される意思があるかを判定して、より好適なタイミングで撮影を行うことが可能となる。
【００１８】
また、撮影タイミング制御手段の出力に基づいて、撮影対象グループおよび／または撮影非対象グループに撮影タイミングを報知する報知手段を備えることにより、撮影対象となるユーザーにタイミングに合わせてポーズや表情をとらせるとともに、撮影非対象者に撮影範囲から出てもらうことにより、好適な画像撮影を行うことができる。
【００１９】
さらに、第２の通信手段を、撮影タイミング制御手段の出力に基づいて、ユーザーが所持する第１の通信手段へ撮影タイミングを通知するものとすることにより、撮影対象となっているユーザーに確実にタイミングを通知することができる。
【発明を実施するための最良の形態】
【００２０】
以下、図面を参照して、本発明の実施の形態について説明する。図１は、本発明の第１の実施の形態の自動撮影システムのブロック図である。
【００２１】
この自動撮影システム１は、被写体（サービスのユーザー）を自動撮影する複数の撮影ユニット１０と、被写体によって所持され、被写体を識別する識別情報を発信する無線タグ２０と、撮影ユニット１０により得られた画像データを保管するサーバー３０とを備えている。
【００２２】
無線タグ２０の具体例としては電池内蔵で交信距離が数メートル以上の長距離型ＲＦＩＤタグが考えられる。無線タグ２０は、自動撮影システム１を用いたサービスを利用するグループの各ユーザーに配布される。また、無線タグ２０の各々には固有のユーザーＩＤが記憶されており、無線タグ２０の配布時に、ユーザーからユーザーの名称、住所、その他サービスに必要なユーザー情報を取得し、また同一グループのユーザーには同一のグループＩＤを付与して、ユーザーＩＤと、グループＩＤと、ユーザー情報とを関連付けてサーバー３０内の図２に示すようなユーザーＩＤデータベースに記憶することにより、無線タグ２０は識別情報としてユーザーＩＤ情報のみを送信すればよくなるため、通信を簡略化することができる。
【００２３】
なお、グループ登録後に、異なるグループ同士でも一緒に撮影を行いたいという要求がでることが考えられるが、このような場合、異なるグループでも同一グループとみなして撮影を行えるようにするため、上記ユーザーＩＤデータベースにおいて、ユーザーＩＤ、グループＩＤおよびユーザー情報に加えて、さらに関連させるグループのグループＩＤ（関連グループＩＤ）を記憶可能となっている。関連グループＩＤの設定は、ユーザーからの指示に基づいて行う。
【００２４】
撮影ユニット１０は、被写体を撮影するデジタルカメラ１２と、被写体が所持する無線タグ２０を検出し、該無線タグ２０と交信するアンテナ１３と、報知手段としてのスピーカー１４と、デジタルカメラ１２、アンテナ１３およびスピーカー１４と接続されたコンピューター１１とから構成されており、自動撮影システム１が設けられているテーマパーク内の複数の箇所に設置されている。
【００２５】
コンピューター１１は、サーバー３０と通信を行う通信制御部、ＣＰＵ／メモリ等を備えたものであり、アンテナ１３により受信された識別情報に基づいて、ユーザーの各々の位置を検出する位置検出手段としての機能、および、デジタルカメラ１２の撮影のタイミングを制御する撮影タイミング制御手段としての機能を有する。
【００２６】
図３は、撮影ユニット１０をテーマパーク内に設置した例を示すものである。デジタルカメラ１２は、テーマパーク内の所定の撮影スポットを撮影可能な位置に設置されており、アンテナ１３は、このデジタルカメラ１２の撮影範囲内（領域ａ）に存在する無線タグ２０を検出可能な位置に設置されている。また、スピーカー１４は、領域ａおよび領域ａ近傍に対して撮影タイミングを報知可能な位置に設置されている。
【００２７】
なお、撮影ユニット１０の各々には設置場所に応じた固有の場所ＩＤが設定されている。また、デジタルカメラ１２の撮影により得られた画像データには固有の画像ＩＤが付与される。コンピューター１１は、撮影日時と、場所ＩＤと、撮影対象となったグループのグループＩＤと、実際に撮影されたグループの各メンバーのユーザーＩＤと、撮影により得られた画像データの画像ＩＤとを撮影情報として、画像データと併せてサーバー３０へ送信する。送信された撮影情報はサーバー３０内の図４に示すような撮影情報データベースに記憶される。また、画像データも同様にサーバー３０内の画像データベースに記憶される。
【００２８】
サーバー３０は、撮影ユニット１０のコンピューター１１、テーマパーク内の複数の箇所に設置された不図示の注文端末、画像の出力を行う不図示の出力手段等と通信を行う通信制御部と、ユーザーＩＤデータベース、撮影情報データベース、画像データベース等を記憶する記憶部と、これらを制御するＣＰＵ／メモリ等とを備えたものであり、ユーザーの各々が所属するグループの情報を識別情報と関連づけて管理するグループ情報管理手段としての機能を有する。
【００２９】
次に、自動撮影システム１による処理について説明する。
【００３０】
最初に、サービスを利用するグループの各ユーザーに対して無線タグ２０を配布する。この際に、各ユーザーからユーザーの名称、住所、その他サービスに必要なユーザー情報を取得し、また同一グループのユーザーには同一のグループＩＤを付与して、ユーザーＩＤと、グループＩＤと、ユーザー情報とを関連付けてサーバー３０内のユーザーＩＤデータベースに記憶する。
【００３１】
次に、ユーザーが撮影スポットに侵入した際の、撮影タイミングの決定から撮影までの流れを、図５に示すフローチャートを参照して説明する。
【００３２】
なお、本説明では、撮影対象のグループの各ユーザーをそれぞれＸ、Ｙ、Ｚ、ユーザーＸ、Ｙ、Ｚがそれぞれ持つ無線タグを２０ａ、２０ｂ、２０ｃとする。
【００３３】
ユーザーＸがデジタルカメラ１２の撮影範囲内（領域ａ）に侵入すると、アンテナ１３によりユーザーＸが持つ無線タグ２０ａからユーザーＸのユーザーＩＤ（識別情報）が受信される（Ｓ１１）。
【００３４】
アンテナ１３により受信されたユーザーＩＤはコンピューター１１からサーバー３０へ送信される。サーバー３０は、ユーザーＸのユーザーＩＤを受信するとユーザーＩＤデータベースを検索して、ユーザーＸのグループＩＤおよびユーザーＸと同一グループの他のユーザーのユーザーＩＤを抽出して、コンピューター１１に送信する。このとき、検索対象となったグループに関連グループＩＤが設定されている場合は、関連グループのユーザーＩＤも併せて抽出する。
【００３５】
コンピューター１１は、サーバー３０から受信したユーザーＩＤの無線タグが領域ａ内に存在するか確認する（Ｓ１２）。
【００３６】
ここで、領域ａ内に最初に侵入したユーザーＸのグループの他のユーザーＹ、Ｚがいずれも存在する場合には、デジタルカメラ１２により撮影を開始し（Ｓ１５）、領域ａ内にユーザーＹ、Ｚのいずれかでも存在しない場合には、スピーカー１４からユーザーＸのグループの他のユーザーに対して呼びかけるメッセージ、例えば「グループ○○の皆さん、撮影を行いますのでカメラの前に集合して下さい。」等といったメッセージを領域ａおよび領域ａ近傍に報知し（Ｓ１３）、所定時間待機する（Ｓ１４）。所定時間待機した後は、ユーザーＸのグループの他のユーザーが揃っていなくても撮影を開始する（Ｓ１５）。
【００３７】
上記（Ｓ１５）にて撮影を行う際に、スピーカー１４から撮影タイミングを報知することによって、撮影対象となるユーザーにタイミングに合わせてポーズや表情をとらせて、好適な画像撮影を行うことができる。具体的には「撮影３秒前、３・２・１・ハイッ！！」等といったメッセージを報知すればよい。さらに、「グループ○○の皆さんの撮影を行いますので、その他の方はカメラの前からお立ち退き下さい。」といったメッセージを報知することにより、撮影非対象者に撮影範囲から出てもらうことにより、好適な画像撮影を行うことができる。また、このようなスピーカー１４による報知の代わりに、撮影において所定のタイミングで撮影対象ユーザーの持つ無線タグ２０に対して撮影タイミングを通知する信号を送信し、無線タグ２０に小型のスピーカーもしくはＬＥＤ等を設け、タイミング通知信号を受信することによりスピーカーからメッセージを伝える、もしくはＬＥＤを点灯させるようにすることにより、撮影対象となっているユーザーに対して確実に撮影タイミングを伝えることができる。
【００３８】
コンピューター１１は、撮影日時と、場所ＩＤと、撮影対象となったグループのグループＩＤと、実際に撮影されたユーザーのユーザーＩＤと、撮影により得られた画像データの画像ＩＤとを撮影情報として、画像データと併せてサーバー３０へ送信する。送信された撮影情報はサーバー３０内の撮影情報データベースに記憶される。また、画像データも同様にサーバー３０内の画像データベースに記憶される。
【００３９】
上記の様にして得られた画像データは、ユーザーからの注文に応じて出力して、ユーザーに提供することが可能である。以下、その流れについて説明する。
【００４０】
無線タグ２０を所持するユーザーがテーマパーク内の不図示の注文端末にアクセスすると、注文端末は注文受付を開始するとともに、ユーザーが持つ無線タグ２０からからユーザーＩＤを取得して、取得したユーザーＩＤ情報をサーバー３０へ送信する。
【００４１】
サーバー３０は、注文端末から受信したユーザーＩＤに基づいて、注文端末にアクセスしたユーザーのグループＩＤを検索し、撮影情報データベース中から、抽出したグループＩＤに該当する撮影情報を抽出して、この撮影情報に基づいて画像データベース中から、注文端末にアクセスしたユーザーのグループが写っている画像データを抽出して注文端末に送信する。
【００４２】
注文端末は、サーバー３０から受信した画像データをプレビューとして表示し、ユーザーに注文枚数や出力形態等の注文を入力させ、その情報をサーバー３０へ送信する。
【００４３】
サーバー３０は、注文端末から受信した注文情報に基づいて画像データを不図示の出力手段へ出力した後、処理を終了する。
【００４４】
上記のような構成とすることにより、複数のユーザーから構成される撮影対象グループを自動的に撮影する際に、撮影対象グループを構成する全てのユーザーが、可能な限り撮影された画像に収まるように、好適なタイミングで撮影を行うことが可能となる。
【００４５】
次に、本発明の第２の実施の形態について説明する。本実施の形態の自動撮影システムは、第１の実施の形態の自動撮影システムと比較して、撮影ユニットの構成を変更したものである。図６は、本実施の形態の自動撮影システムのブロック図である。なお、上記第１の実施の形態と同様の要素には同じ部品番号を付与し、特に必要の無い限り説明を省略する。
【００４６】
本実施の形態の自動撮影システム１′における撮影ユニット１０′は、被写体を撮影するデジタルカメラ１２と、被写体が所持する無線タグ２０を検出し、該無線タグ２０と交信するアンテナ１３ａ、１３ｂ、１３ｃと、報知手段としてのスピーカー１４と、デジタルカメラ１２、アンテナ１３ａ、１３ｂ、１３ｃおよびスピーカー１４と接続されたコンピューター１１′とから構成されており、自動撮影システム１′が設けられているテーマパーク内の複数の箇所に設置されている。
【００４７】
図７は、撮影ユニット１０′をテーマパーク内に設置した例を示すものである。デジタルカメラ１２は、テーマパーク内の所定の撮影スポットを撮影可能な位置に設置されており、アンテナ１３ａは、このデジタルカメラ１２の撮影範囲内（領域ａ）に存在する無線タグ２０を検出可能な位置に設置されており、アンテナ１３ｂは、上記領域ａの外周近傍（領域ｂ）に存在する無線タグ２０を検出可能な位置に設置されており、アンテナ１３ｃは、上記領域ｂの外周近傍（領域ｃ）に存在する無線タグ２０を検出可能な位置に設置されている。また、スピーカー１４は、領域ａ、ｂ、ｃに対して撮影タイミングを報知可能な位置に設置されている。
【００４８】
コンピューター１１′は、ユーザーが持つ無線タグ２０が、アンテナ１３ａ、１３ｂ、１３ｃのいずれのアンテナによって検出されたかに基づいて、該ユーザーが、領域ａ、ｂ、ｃのいずれの位置にいるのかを検出する。
【００４９】
次に、自動撮影システム１′による処理について説明する。
【００５０】
最初に、サービスを利用するグループの各ユーザーに対して無線タグ２０を配布する。この際に、各ユーザーからユーザーの名称、住所、その他サービスに必要なユーザー情報を取得し、また同一グループのユーザーには同一のグループＩＤを付与して、ユーザーＩＤと、グループＩＤと、ユーザー情報とを関連付けてサーバー３０内のユーザーＩＤデータベースに記憶する。
【００５１】
次に、ユーザーが撮影スポットに侵入した際の、撮影タイミングの決定から撮影までの流れを、図８に示すフローチャートを参照して説明する。
【００５２】
なお、本説明では、撮影対象のグループの各ユーザーをそれぞれＸ、Ｙ、Ｚ、ユーザーＸ、Ｙ、Ｚがそれぞれ持つ無線タグを２０ａ、２０ｂ、２０ｃとする。
【００５３】
ユーザーＸがデジタルカメラ１２の撮影範囲内（領域ａ）に侵入すると、アンテナ１３ａによりユーザーＸが持つ無線タグ２０ａからユーザーＸのユーザーＩＤ（識別情報）が受信される（Ｓ２１）。
【００５４】
アンテナ１３ａにより受信されたユーザーＩＤはコンピューター１１′からサーバー３０へ送信される。サーバー３０は、ユーザーＸのユーザーＩＤを受信するとユーザーＩＤデータベースを検索して、ユーザーＸのグループＩＤおよびユーザーＸと同一グループの他のユーザーのユーザーＩＤを抽出して、コンピューター１１′に送信する。このとき、検索対象となったグループに関連グループＩＤが設定されている場合は、関連グループのユーザーＩＤも併せて抽出する。
【００５５】
コンピューター１１′は、サーバー３０から受信したユーザーＩＤの無線タグが領域ａ内に存在するか確認する（Ｓ２２）。
【００５６】
ここで、領域ａ内に最初に侵入したユーザーＸのグループの他のユーザーＹ、Ｚがいずれも存在する場合には、デジタルカメラ１２により撮影を開始し（Ｓ２８）、領域ａ内にユーザーＹ、Ｚのいずれかでも存在しない場合には、スピーカー１４からユーザーＸのグループの他のユーザーに対して呼びかけるメッセージ、例えば「グループ○○の皆さん、撮影を行いますのでカメラの前に集合して下さい。」等といったメッセージを領域ａ、ｂ、ｃに対して報知した後（Ｓ２４）、領域ａ内に存在しないユーザー（例えばユーザーＹ、Ｚ）について状態列監視を行う（Ｓ２５、２６、２７）。
【００５７】
本実施の形態における状態列監視の処理は、撮影領域（領域ａ）外にいるユーザーの所定時間内の位置の変化の流れを状態列としてとらえ、この状態列を規定のパターンと比較することで、該ユーザーについて撮影される意思の有無を判定する。簡単な具体例としては、領域ａ外にいるユーザーが、領域ｃからより撮影領域に近い領域ｂへ移動した場合には、撮影される意思が有るものと判定し、このユーザーが撮影領域内（領域ａ）へ到達するまでカメラによる撮影を待機させ、反対に、領域ｂからより撮影領域に遠い領域ｃへ移動した場合には、撮影される意思が無いものと判定し、現在領域ａ内にいるユーザーのみの撮影を開始する、といった処理を行うことが可能である。
【００５８】
上記状態列監視の結果、領域ａ内にユーザーＸのグループの他のユーザーＹ、Ｚが揃った場合、もしくは領域ａ外にいるユーザーについて撮影される意思が無いと判定した場合には、監視を終了して（Ｓ２６）、撮影を開始する（Ｓ２８）。
【００５９】
上記（Ｓ２８）にて撮影を行う際に、スピーカー１４から撮影タイミングを報知することによって、撮影対象となるユーザーにポーズや表情をとらせて、好適な画像撮影を行うことができる。具体的には「撮影３秒前、３・２・１・ハイッ！！」等といったメッセージを報知すればよい。さらに、「グループ○○の皆さんの撮影を行いますので、その他の方はカメラの前からお立ち退き下さい。」といったメッセージを報知することにより、撮影非対象者に撮影範囲から出てもらうことにより、好適な画像撮影を行うことができる。また、このようなスピーカー１４による報知の代わりに、撮影において所定のタイミングで撮影対象ユーザーの持つ無線タグ２０に対して撮影タイミングを通知する信号を送信し、無線タグ２０に小型のスピーカーもしくはＬＥＤ等を設け、タイミング通知信号を受信することによりスピーカーからメッセージを伝える、もしくはＬＥＤを点灯させるようにすることにより、撮影対象となっているユーザーに対して確実に撮影タイミングを伝えることができる。
【００６０】
コンピューター１１′は、撮影日時と、場所ＩＤと、撮影対象となったグループのグループＩＤと、実際に撮影されたユーザーのユーザーＩＤと、撮影により得られた画像データの画像ＩＤとを撮影情報として、画像データと併せてサーバー３０へ送信する。送信された撮影情報はサーバー３０内の撮影情報データベースに記憶される。また、画像データも同様にサーバー３０内の画像データベースに記憶される。
【００６１】
上記のような構成としても、第１の実施の形態と同様の効果を得ることが可能であり、さらに、撮影対象グループの各人の位置の状態列監視に基づいて、カメラによる撮影対象グループの撮影のタイミングを制御するものとすることにより、撮影対象者が撮影範囲外にいる場合でも、カメラに向かって移動しているか等、撮影範囲外にいる撮影対象者に撮影される意思があるかを判定して、より好適なタイミングで撮影を行うことが可能となる。
【図面の簡単な説明】
【００６２】
【図１】第１の実施の形態の自動撮影システムのブロック図
【図２】上記自動撮影システムのユーザーＩＤデータベースの説明図
【図３】上記自動撮影システムの撮影ユニットの設置例を示す図
【図４】上記自動撮影システムの撮影情報データベースの説明図
【図５】第１の実施の形態における、撮影タイミングの決定から撮影までの流れを示すフローチャート
【図６】第２の実施の形態の自動撮影システムのブロック図
【図７】上記自動撮影システムの撮影ユニットの設置例を示す図
【図８】第２の実施の形態における、撮影タイミングの決定から撮影までの流れを示すフローチャート
【符号の説明】
【００６３】
１、１′    自動撮影システム
１０、１０′    撮影ユニット
１１、１１′    コンピューター
１２    デジタルカメラ
１３、１３ａ、１３ｂ、１３ｃ    アンテナ
１４    スピーカー
２０    無線タグ
３０    サーバー
【図１】
2005099165.tif 000003
【図２】
2005099165.tif 000004
【図３】
2005099165.tif 000005
【図４】
2005099165.tif 000006
【図５】
2005099165.tif 000007
【図６】
2005099165.tif 000008
【図７】
2005099165.tif 000009
【図８】
2005099165.tif 000010